(57)【要約】【課題】ＣＥが携帯する携帯端末へのデータ送信を効率化すると共に、ＣＥが必要としている機器のみの情報を表示する装置情報表示方法、装置情報表示装置及びコンピュータプログラムを提供すること。【解決手段】保守対象装置（サーバコンピュータ５）についての装置情報を、位置記憶サーバ（位置管理サーバ３）からの通知に基づいて、携帯通信機（携帯端末２）に送信し、携帯通信機が受信した装置情報を表示部に表示する装置情報表示方法において、装置情報記憶装置（ｘ装置１）が、携帯通信機の自装置又は保守対象装置への接近の通知を位置記憶サーバから受け取り、記憶部に記憶した装置情報を読み出し、読み出した装置情報を携帯通信機に送信し、携帯通信機が、装置情報を受信し、受信した装置情報に対応する装置の画像を撮像部により取得し、取得した画像と受信した装置情報とを表示部に表示する。【選択図】図１
2015014900.tif 000002
【特許請求の範囲】
【請求項１】
保守対象装置についての装置情報を記憶する装置情報記憶装置が前記装置情報を、前記装置情報記憶装置又は保守対象装置の位置を記憶する位置記憶サーバからの通知に基づいて、撮像部及び表示部を有する携帯通信機に送信し、携帯通信機が受信した装置情報を前記表示部に表示する装置情報表示方法において、
前記装置情報記憶装置が、
前記携帯通信機の自装置又は前記保守対象装置への接近の通知を前記位置記憶サーバから受け取り、
記憶部に記憶した装置情報を読み出し、
読み出した装置情報を前記携帯通信機に送信し、
前記携帯通信機が、
前記装置情報を受信し、
受信した装置情報に対応する装置の画像を前記撮像部により取得し、
取得した画像と受信した装置情報とを前記表示部に表示する、
装置情報表示方法。
【請求項２】
前記携帯通信機は自位置を計算し、
計算した自位置を前記位置記憶サーバに送信する
請求項１に記載の装置情報表示方法。
【請求項３】
前記位置記憶サーバは、
予め取得した前記装置情報記憶装置又は保守対象装置の位置と前記携帯通信機から受信した位置とにより、前記装置情報記憶装置又は保守対象装置に前記携帯通信機が接近しているか否かを判定し、
接近していると判定した場合、前記装置情報記憶装置に前記携帯通信機の接近の通知を行う
請求項２に記載の装置情報表示方法。
【請求項４】
保守対象装置についての装置情報を記憶する記憶部と、
外部からの通知に基づいて、携帯通信機に前記装置情報を送信する送信部とを備える装置情報記憶装置において、
前記携帯通信機の自装置又は前記保守対象装置への接近の通知を外部から受信する受信部と、
前記記憶部に記憶した装置情報を読み出す読み出し部とを備え、
前記送信部は、読み出した装置情報を前記携帯通信機に送信する
装置情報記憶装置。
【請求項５】
保守対象装置の画像を取得する撮像部、前記保守対象装置についての装置情報を受信する受信部、取得した画像と受信した装置情報とを表示する表示部、姿勢を検出する姿勢検出部備えたコンピュータに、
前記姿勢検出部から自コンピュータの姿勢を検出し、
検出した姿勢により前記保守対象装置を撮影しているか否かを判定し、
前記保守対象装置を撮影していると判定した場合に、前記装置情報を表示部に表示させる
処理を実行させるコンピュータプログラム。
【発明の詳細な説明】
【技術分野】
【０００１】
本発明は、装置情報表示方法、装置情報記憶装置及びコンピュータプログラムに関する。
【背景技術】
【０００２】
拡張現実技術を用いた障害修復作業の支援システムが提案されている（特許文献１）。
【先行技術文献】
【特許文献】
【０００３】
【特許文献１】特開２０１２−１８６０５号公報
【発明の概要】
【発明が解決しようとする課題】
【０００４】
しかしながら、従来の支援システムは、障害発生機器についての情報を全て一律に表示するものである。従って、障害対処を行うＣＥ（Customer Engineer）は、自分が対処しようとする機器についての情報と、そうでない機器との情報を切り分ける必要があり、作業効率の低下が生じる。また、それぞれ携帯端末を所持した複数の作業員が同時に作業を行う場合は、すべての携帯端末に同じ情報を送信するので、通信料の無駄が生じてしまう。
【０００５】
１つの側面では、本発明の目的は、携帯端末の位置に配慮した装置情報表示方法、装置情報記憶装置及びコンピュータプログラムを提供することである。
【課題を解決するための手段】
【０００６】
１つの案では、装置情報表示方法は、保守対象装置についての装置情報を記憶する装置情報記憶装置が前記装置情報を、前記装置情報記憶装置又は保守対象装置の位置を記憶する位置記憶サーバからの通知に基づいて、撮像部及び表示部を有する携帯通信機に送信し、携帯通信機が受信した装置情報を前記表示部に表示する装置情報表示方法において、前記装置情報記憶装置が、前記携帯通信機の自装置又は前記保守対象装置への接近の通知を前記位置記憶サーバから受け取り、記憶部に記憶した装置情報を読み出し、読み出した装置情報を前記携帯通信機に送信し、前記携帯通信機が、前記装置情報を受信し、受信した装置情報に対応する装置の画像を前記撮像部により取得し、取得した画像と受信した装置情報とを前記表示部に表示する。
【発明の効果】
【０００７】
本発明の一観点によれば、携帯端末の位置に配慮した装置情報の提要を行うことができる。
【図面の簡単な説明】
【０００８】
【図１】実施の形態１に係る情報システムの一構成例を示すブロック図である。
【図２】ｘ装置の一構成例を示すハードウェアブロック図である。
【図３】携帯端末の一構成例を示すハードウェアブロック図である。
【図４】位置管理サーバの一構成例を示すハードウェアブロック図である。
【図５】装置情報テーブルのレコードレイアウトの一例を示す説明図である。
【図６】装置位置テーブルのレコードレイアウトの一例を示す説明図である。
【図７】装置情報テーブルのレコードレイアウトの一例を示す説明図である。
【図８】許可機器テーブルのレコードレイアウトの一例を示す説明図である。
【図９】ＣＥの業務フローを示すフローチャートである。
【図１０】ｘ装置の起動時の動作手順を示すフローチャートである。
【図１１】ｘ装置が行うサーバコンピュータの監視処理手順を示すフローチャートである。
【図１２】位置管理サーバが行う携帯端末の位置監視処理の手順を示すフローチャートである。
【図１３】位置管理サーバからの通知により、ｘ装置で行われる障害情報送信処理の手順を示すフローチャートである。
【図１４】携帯端末で行われる受信処理の手順を示すフローチャートである。
【図１５】携帯端末で行われる処理の手順を示すフローチャートである。
【図１６】サーバコンピュータが行う障害検知処理の手順を示すフローチャートである。
【図１７】携帯端末の表示画面の一例を示す説明図である。
【図１８】携帯端末の表示画面の一例を示す説明図である。
【図１９】エアタグの一例を示す説明図である。
【図２０】レポート作成画面の一例を示す説明図である。
【図２１】ｘ装置が行うサーバコンピュータの監視処理手順を示すフローチャートである。
【図２２】位置管理サーバが行う携帯端末の位置監視処理の手順を示すフローチャートである。
【図２３】位置管理サーバが行うポーリング応答処理の手順を示すフローチャートである。
【図２４】ｘ装置で行われる障害情報送信処理の手順を示すフローチャートである。
【図２５】装置位置テーブルのレコードレイアウトの一例を示す説明図である。
【図２６】全体状況表示処理の手順を示すフローチャートである。
【図２７】全体状況を表示する携帯端末の画面を示す説明図である。
【図２８】全体状況を表示する携帯端末の画面を示す説明図である。
【図２９】ｘ装置の機能ブロック図である。
【発明を実施するための形態】
【０００９】
実施の形態１
以下実施の形態を、図面を参照して説明する。図１は実施の形態１に係る情報システムの一構成例を示すブロック図である。情報システムはデータセンタ及びデータセンタとネットワークＮを介して接続されている複数の顧客端末６を含む。
【００１０】
データセンタは複数のサーバコンピュータ５（保守対象装置）が設置されている。サーバコンピュータ５は数台ごとに１つのラックに設置されている。各サーバコンピュータ５には対になるｘ装置１（コンピュータ、装置情報記憶装置）が接続されている。データセンタにはｘ装置１の位置等を記憶管理する位置管理サーバ３（位置記憶サーバ）が設置されている。さらにまた、データセンタの各所には、ビーコンであるｙ装置４（無線標識）が設置されている。ｙ装置４は自装置の位置又は自装置のＩＤを定期的に発信している。データセンタに設置されたサーバコンピュータ５に障害が発生した場合には、ＣＥ（Customer Engineer）が対処を行う。ＣＥが携帯するのはタブレット端末、スマートフォンなどの携帯端末２（携帯通信機、コンピュータ）である。
【００１１】
図２はｘ装置１の一構成例を示すハードウェアブロック図である。ｘ装置１はＣＰＵ１１（Central Processing Unit）、ＲＡＭ（Random Access Memory）１２、ＲＯＭ（Read Only Memory）１３、有線通信部１４、無線通信部１５、大容量記憶装置１６、読取部１７、二次電池１８を含む。
【００１２】
ＣＰＵ１１はＲＯＭ１３又は大容量記憶装置１６に記憶された制御プログラム１Ｐに従いハードウェア各部を制御する。
ＲＡＭ１２は例えばＳＲＡＭ（Static ＲＡＭ）、ＤＲＡＭ（Dynamic ＲＡＭ）、フラッシュメモリ等である。ＲＡＭ１２はＣＰＵ１１によるプログラムの実行時に発生する種々のデータを一時的に記憶する。
【００１３】
有線通信部１４はｘ装置１と対になるサーバコンピュータ５と通信を行う。有線通信部１４は例えば、ＵＳＢ（Universal Serial Bus）、ＩＥＥＥ（The Institute of Electrical and Electronics Engineers, Inc.）１３９４等の規格による通信部である。
無線通信部１５はｙ装置４が送信したｙ装置４の位置情報又はｙ装置４のＩＤを受信する。
有線通信部１４はサーバコンピュータ５と通信する以外にethernet（登録商標）規格での通信が可能であり、データセンタのＬＡＮと接続され、位置管理サーバ３と通信を行う。無線通信部１５はｙ装置４と通信する以外に、WiFi規格での通信が可能であり、図示しないアクセスポイントを介して、データセンタのＬＡＮと接続され、位置管理サーバ３と通信を行う。
【００１４】
大容量記憶装置１６は例えばハードディスク、ＳＳＤ（Solid State Drive）である。大容量記憶装置１６は制御プログラム１Ｐ等、装置情報テーブル１６ａ等各種のデータを格納している。
【００１５】
読取部１７はＣＤ（Compact Disk）−ＲＯＭ、ＤＶＤ（Digital Versatile Disc）−ＲＯＭ等の可搬型記憶媒体１ｂを読み取る。制御プログラム１Ｐは可搬型記憶媒体１ｂより読取部１７が読み取り、大容量記憶装置１６に記憶することとしても良い。また、ネットワークＮを介して他のコンピュータから制御プログラム１Ｐをダウンロードしても良い。さらにまた、半導体メモリ１ａから制御プログラム１Ｐを読み込むこととしても良い。
【００１６】
二次電池１８はｘ装置１が動作するのに必要な電力を供給する。ｘ装置１は、サーバコンピュータ５から有線通信部１４を介して、電力供給を受け動作する。供給された電力の一部は二次電池１８に蓄えられる。二次電池１８を備えているため、対になるサーバコンピュータ５がシャットダウンされたとしても、ｘ装置１は動作することが可能である。
【００１７】
図３は携帯端末２の一構成例を示すハードウェアブロック図である。携帯端末２はＣＰＵ２１、ＲＡＭ２２、ＲＯＭ２３、大容量記憶装置２４、撮像部２５、通信部２６、表示部２７、姿勢検知部２８を含む。
ＣＰＵ２１はＲＯＭ２３又は大容量記憶装置２４に記憶された制御プログラム２Ｐに従いハードウェア各部を制御する。
ＲＡＭ２２は例えばＳＲＡＭ、ＤＲＡＭ、フラッシュメモリ等である。ＲＡＭ２２はＣＰＵ２１によるプログラムの実行時に発生する種々のデータを一時的に記憶する。
大容量記憶装置２４は比較的大容量（数ギガバイト）のＳＤ（Secure Digital）メモリカード等である。
【００１８】
撮像部２５はＣＭＯＳセンサ、レンズ等を含み、動画又は静止画を取り込む。
通信部２６はＷｉＦｉ規格等での通信を行うものであり、データセンタに設置されたアクセスポイントを介して、データセンタのＬＡＮに接続される。表示部２７は各種の情報を表示する。姿勢検知部２８は自装置の姿勢を検知するものであり、ジャイロや加速度センサを含む。
【００１９】
図４は位置管理サーバ３の一構成例を示すハードウェアブロック図である。位置管理サーバ３はＣＰＵ３１、ＲＡＭ３２、ＲＯＭ３３、大容量記憶装置３５、通信部３６を含む。
ＣＰＵ３１はＲＯＭ３３又は大容量記憶装置３５に記憶された制御プログラム３Ｐに従いハードウェア各部を制御する。
ＲＡＭ３２は例えばＳＲＡＭ、ＤＲＡＭ、フラッシュメモリ等である。ＲＡＭ３２はＣＰＵ３１によるプログラムの実行時に発生する種々のデータを一時的に記憶する。
大容量記憶装置３５は例えばハードディスク、ＳＳＤである。大容量記憶装置３５は制御プログラム３Ｐ、装置位置テーブル３５ａ、装置情報テーブル３５ｂ、許可機器テーブル３５ｃ等各種のデータを格納している。
【００２０】
次に、ｘ装置１で管理されるテーブルについて説明する。図５は装置情報テーブル１６ａのレコードレイアウトの一例を示す説明図である。ｘ装置１に対応する装置（以下、「対応装置」と記す、本実施の形態では「サーバコンピュータ５」）についての情報（装置情報）を記憶するテーブルである。装置情報テーブル１６ａは日時欄、プロダクト名欄、シリアルＮｏ．欄、位置欄、状態欄、メッセージ欄を含む。日時欄はレコードが作成された日時を記憶する。プロダクト名欄は対応装置のプロダクト名を記憶する。シリアルＮｏ．欄は対応装置のシリアル番号を記憶する。位置欄は自装置のデータセンタ内での位置座標を記憶する。状態欄は対応装置の状態を記憶する。メッセージ欄は携帯端末２へ送信するエラーメッセージを記憶する。装置情報テーブル１６ａの主キーはシリアルＮｏ．とプロダクト名とであり、複合主キーである。
【００２１】
次に、位置管理サーバ３で管理されるテーブルについて説明する。図６は装置位置テーブル３５ａのレコードレイアウトの一例を示す説明図である。装置位置テーブル３５ａはデータセンタ内にある対応装置の位置情報を記憶するテーブルである。装置位置テーブル３５ａはプロダクト名欄、シリアルＮｏ．欄、位置欄を含む。プロダクト名欄は対応装置のプロダクト名を記憶する。シリアルＮｏ．欄は対応装置のシリアル番号を記憶する。位置欄は対応装置に紐付けられたｘ装置１のデータセンタ内での位置座標を記憶する。装置位置テーブル３５ａの主キーはシリアルＮｏ．とプロダクト名の２つからなる、複合主キーである。
【００２２】
図７は装置情報テーブル３５ｂのレコードレイアウトの一例を示す説明図である。装置情報テーブル３５ｂはデータセンタ内にある対応装置についての情報を記憶するテーブルである。装置情報テーブル３５ｂは日時欄、プロダクト名欄、シリアルＮｏ．欄、位置欄、状態欄、メッセージ欄を含む。日時欄はレコードが作成された日時を記憶する。プロダクト名欄は対応装置のプロダクト名を記憶する。シリアルＮｏ．欄は対応装置のシリアル番号を記憶する。位置欄は対応装置に紐付けられているｘ装置１のデータセンタ内での位置座標を記憶する。状態欄は対応装置の状態を記憶する。メッセージ欄は携帯端末２へ送信するエラーメッセージを記憶する。装置情報テーブル３５ｂの主キーはシリアルＮｏ．とプロダクト名の２つからなる、複合主キーである。なお、位置座標はｘ装置１の位置座標ではなく、対応装置の位置座標を記憶することとしても良い。その場合、ｘ装置１と対応装置との位置関係を予め求めておく。この位置関係を用いて、ｘ装置１から送信された位置座標に補正をかけて、対応装置の位置座標を求めれば良い。
【００２３】
図８は許可機器テーブル３５ｃのレコードレイアウトの一例を示す説明図である。許可機器テーブル３５ｃは位置管理サーバ３が接続を許可する機器又は許可しない機器についての情報を記憶するテーブルである。主として、障害対処のためにデータセンタに入室するＣＥが携帯する機器についての情報が記憶される。許可機器テーブル３５ｃは機器名欄、アプリ名欄、シリアル欄、許可／不許可欄、機器位置欄を含む。機器名欄は機器の名称を記憶する。アプリ名欄は機器で使用されるアプリケーションの名称を記憶する。シリアル欄は機器のシリアル番号を記憶する。許可／不許可欄は接続を許可するか否かを記憶する。機器位置覧はデータセンタ内での機器の最新の位置を記憶する。許可機器テーブル３５ｃの主キーはシリアルである。または、シリアルとアプリ名とからなる複合主キーとしても良い。前者の場合、シリアル番号が一致すれば機器の接続を許可する。後者の場合、シリアル番号のみならず接続に用いるアプリケーションの一致までを要求する。なお、アプリ名欄にはアプリケーション名の略称を記憶することとしても良い。
【００２４】
図９はＣＥの業務フローを示すフローチャートである。ＣＥはデータセンタに到着する所持している携帯端末２のアプリケーションを起動する（ステップＳ７１）。起動するのはｘ装置１や位置管理サーバ３と情報のやり取りを行うためのアプリケーションである。これは、位置管理サーバ３の許可機器テーブル３５ｃのアプリ名欄に記載されている名称を持つアプリケーションである。ＣＥはデータセンタに応じた初期設定を行う（ステップＳ７２）。例えば、データセンタに設置された無線アクセスポイントに接続するための設定、位置管理サーバ３の設定、ＩＰアドレス設定又は取得等である。位置管理サーバ３による認証、ｘ装置１、ｙ装置４との通信確認も含まれる。
【００２５】
ＣＥは障害が発生しているサーバコンピュータ５が設置されているラックに向かう。目的のラックに到着したら、携帯端末２の撮像部２５でサーバコンピュータ５を撮影する。障害が発生しているサーバコンピュータ５を撮影している場合、障害内容を示すメッセージが表示されるので、ＣＥは障害内容を確認する（ステップＳ７３）。ＣＥは確認した障害内容に応じて、障害対処を行う（ステップＳ７４）。ＣＥは障害復旧された否かを確認する（ステップＳ７５）。具体的には対処を行ったサーバコンピュータ５を再度、携帯端末３の撮像部２５で撮影し、障害に関するメッセージが表示されないことを確認する。対処したサーバコンピュータ５が復旧している場合（ステップＳ７５でＹＥＳ）、他に障害が発生しているか否かを確認する（ステップＳ７６）。複数のサーバコンピュータ５に障害が発生している場合や、対処の副作用で新たな障害が発生している場合があるからである。具体的には、対処したサーバコンピュータ５を撮像部２５で撮影し、メッセージが表示されるか否か、他のサーバコンピュータ５を撮像部２５で撮影し、メッセージが表示されるか否かを調べる。他に障害が発生していない場合（ステップＳ７６でＮＯ）、ＣＥは報告書を作成する（ステップＳ７７）。その後、対処を終了する。
【００２６】
対処したサーバコンピュータ５が復旧していない場合（ステップＳ７５でＮＯ）、他に障害が発生している場合（ステップＳ７６でＹＥＳ）、対処を行う（ステップＳ７４）。その後（ステップＳ７４後）の処理は、上述したとおりである。
【００２７】
本明細書において、上述のように、携帯端末２の撮像部２５で撮影した画像に、画像内にある事物に関する情報を表示する機能を「エアタグ機能」と呼ぶことする。本明細書での例としては、撮像部２５で撮像したサーバコンピュータ５の画像に重ねて、サーバコンピュータ５に関する障害情報を表示することである。
【００２８】
次に、ｘ装置１が行う処理について説明する。図１０はｘ装置１の起動時の動作手順を示すフローチャートである。ｘ装置１のＣＰＵ１１は大容量記憶装置１６に記憶してある自装置の位置情報を読み出す（ステップＳ１）。ＣＰＵ１１は大容量記憶装置１６から位置情報を取得できたか、すなわち位置情報が記憶済であったか否かを判定する（ステップＳ２）。位置情報が記憶されていない場合（ステップＳ２でＮＯ）、ＣＰＵ１１は位置管理サーバ３に自装置の位置を問い合わせる（ステップＳ３）。ＣＰＵ１１は位置管理サーバ３から位置を取得したか否かを判定する（ステップＳ４）。位置を取得した場合（ステップＳ４でＹＥＳ）、ＣＰＵ１１は処理を終了する。なお、ＣＰＵ１１が自装置の位置を位置管理サーバ３に問い合わせる際、ＣＰＵ１１は対応装置のプロダクト名とシリアル番号をキーとして位置管理サーバ３に送信する。位置管理サーバ３の装置位置テーブル３５ａにはサーバコンピュータ５等の対応装置の位置が記憶されているからである。装置位置テーブル３５ａがｘ装置１の位置を管理している場合、ｘ装置１のプロダクト名、シリアル番号をキーにしても良い。
【００２９】
位置管理サーバ３から位置を取得しなかった場合（ステップＳ４でＮＯ）、ＣＰＵ１１は無線通信部１５を介してｙ装置４から位置情報（座標値）を受信する（ステップＳ６）。データセンタ内では同時に複数のｙ装置４から電波が受信可能なように、ｙ装置４を設置してある。ＣＰＵ１１は複数のｙ装置４から受信した電波強度を無線通信部１５に計測させ、その結果を取得する（ステップＳ７）。ＣＰＵ１１は電波強度より自装置とｙ装置４との推定距離を算出する。推定距離及びｙ装置４の位置情報により、三角測量の原理により自装置の位置を算出する（ステップＳ８）。ＣＰＵ１１は算出した位置を現在日時と紐付けた位置情報を大容量記憶装置１６に記憶する（ステップＳ９）。ＣＰＵ１１は位置情報（位置座標、対応装置のプロダクト名、シリアル番号）を位置管理サーバ３に送信する（ステップＳ１０）。ＣＰＵ１１は処理を終了する。
なお、ｘ装置１はｙ装置４から座標値を受信することとしたが、それに限られない。ｙ装置４のＩＤとｙ装置４の位置座標値を予めｘ装置１の大容量記憶装置１６に記憶しておき、ｙ装置４はＩＤをｘ装置１に送信することとしても良い。この場合、ｘ装置１は受信したＩＤを元にｙ装置４の位置座標値を大容量記憶装置１６から読み出せば良い。位置の算出は上述したとおりである。さらにまた、送受信の関係を逆にしても良い。すなわち、ｘ装置１がＩＤをｙ装置４に送信する。ｘ装置１からＩＤを受信した複数のｙ装置４それぞれは、ＩＤと電波強度とを位置管理サーバ３に送信する。位置管理サーバ３は複数のｙ装置４から送信されたｘ装置１のＩＤと電波強度から、ｘ装置１の位置座標を算出する。位置管理サーバ３は、位置座標を装置位置テーブル３５ａに記憶するととともに、位置座標をｘ装置１に送信すれば良い。
【００３０】
位置情報が大容量記憶装置１６に記憶されていた場合（ステップＳ２でＹＥＳ）、ＣＰＵ１１は位置情報を記憶した日から所定日数以上経過しているか否かを、判定する（ステップＳ５）。所定日数以上経過しているとき（ステップＳ５でＹＥＳ）、ＣＰＵ１１はステップＳ６以降を実行する。所定日数以上経過していないとき（ステップＳ５でＮＯ）、ＣＰＵ１１は位置情報を位置管理サーバ３に送信し（ステップＳ１０）、処理を終了する。
【００３１】
図１０に示したフローチャートにおいて、ｘ装置１は自装置の位置情報を大容量記憶装置１６に記憶していることを前提としたが、それに限られない。ｘ装置１は起動時に必ず自装置の位置を算出することとしても良い。ｘ装置１は常時稼動の装置であり、停止されて起動する多くの場合が、対となるサーバコンピュータ５と共に設置位置が変更された後であると考えられるからである。また、位置情報を記憶していない場合、位置管理サーバ３に問い合わせることとしたが、問い合せを行わないこととしても良い。ｘ装置１自らが記憶している位置情報がマスターであり、位置管理サーバ３が記憶する位置情報をスレーブとみなす場合、位置管理サーバ３の記憶している位置情報は採用すべきでないからである。位置情報を記憶している場合、記憶した日から所定日数以上経過しているときは、改めて位置を算出することとしたが、それに限られない。経過日数の大小に限らず、常に記憶している位置情報を採用としても良い。ただし、この場合、ｘ装置１の位置を変える場合、大容量記憶装置１６に記憶してある位置情報を削除する必要がある。また、大容量記憶装置１６に記憶してある位置情報を採用する場合に、改めて位置管理サーバ３に位置情報を送信しているが、送信しなくても良い。すなわち、ステップＳ５でＮＯの場合に、ステップＳ１０を実行しなくても良い。記憶している位置情報を算出したときに、位置管理サーバ３に送信しているはずだからである。
【００３２】
図１１はｘ装置１が行うサーバコンピュータ５の監視処理手順を示すフローチャートである。ｘ装置１のＣＰＵ１１は対となっているサーバコンピュータ５の電源がＯＮとなっているかを判定する（ステップＳ２１）。ｘ装置１とサーバコンピュータ５とがＵＳＢなど電源供給を規定している規格の場合、サーバコンピュータ５から電源が供給されているか否かにより判定することが可能である。サーバコンピュータ５が電源ＯＮの場合（ステップＳ２１でＹＥＳ）、ＣＰＵ１１はサーバコンピュータ５に障害が発生しているか否かを判定する（ステップＳ２２）。この判定は装置情報テーブル１６ａの状態欄やメッセージ欄を参照して判定を行う。サーバコンピュータ５に障害が発生したとき、サーバコンピュータ５のファームウェアが装置情報テーブル１６ａの状態欄に障害が発生した旨を、メッセージ欄にエラーメッセージを書き込むからである。障害が発生している場合（ステップＳ２２でＹＥＳ）、ＣＰＵ１１はエアタグ機能が有効か否か判定する（ステップＳ２３）。エアタグ機能が有効か否かを示すフラグ変数を大容量記憶装置１６に記憶しておき、このフラグ変数の値で判定すれば良い。エアタグ機能が有効である場合（ステップＳ２３でＹＥＳ）、ＣＰＵ１１は割込み設定を行う（ステップＳ２４）。ＣＰＵ１１は位置管理サーバ３からの携帯端末２の接近の通知を受けた際に実行する割込みルーチンの設定を行う。ＣＰＵ１１は、対応装置であるサーバコンピュータ５に発生している障害内容を位置管理サーバ３に通知する。具体的には、ＣＰＵ１１はサーバコンピュータ５のプロダクト名、シリアル番号、状態、メッセージを、位置管理サーバ３に送信する。位置管理サーバ３は送信された内容を装置情報テーブル３５ｂに記憶する。ＣＰＵ１１は処理を終了する。
【００３３】
サーバコンピュータ５の電源がＯＦＦ、すなわちＯＮでない場合（ステップＳ２１でＮＯ）、ＣＰＵ１１は装置情報テーブル１６ａに記憶する装置情報を更新する（ステップＳ２６）。具体的には、サーバコンピュータ５の電源がＯＦＦである旨を装置情報テーブル１６ａに書き込む。上述した割込みルーチンのマスクをＣＰＵ１１は行う（ステップＳ２７）。
【００３４】
サーバコンピュータ５に障害が発生していない場合（ステップＳ２２でＮＯ）、ＣＰＵ１１はステップＳ２７を実行し、処理を終了する。
【００３５】
エアタグ機能が有効でない場合（ステップＳ２３でＮＯ）、ＣＰＵ１１はステップＳ２
７を実行し、処理を終了する。
【００３６】
図１２は位置管理サーバ３が行う携帯端末２の位置監視処理の手順を示すフローチャートである。図１２の処理はＣＥが持つ携帯端末２から位置を受信する度毎に実行される処理である。位置管理サーバ３のＣＰＵ３１は通信部３６を介して、携帯端末２の位置を取得する（ステップＳ３１）。ＣＰＵ３１は装置情報テーブル３５ｂを調べ、障害が発生している装置（以下、「障害装置」と記す）の位置座標を読み出し、携帯端末２との距離を計算する（ステップＳ３２）。距離の計算は、例えば、障害装置の位置座標と携帯端末２の位置座標との差分を座標軸ごとに計算し、差分の二乗和の平方根を求めるものである。
【００３７】
ＣＰＵ３１は求めた距離の値と予め定めた閾値とを比較し、携帯端末２が障害装置から所定の距離内に近づいたか否かを判定する（ステップＳ３３）。所定距離内である場合（ステップ３３でＹＥＳ）、ＣＰＵ３１は障害装置のシリアル番号、プロダクト名をＲＡＭ３２等の記憶部に一時的に記憶する（ステップＳ３４）。ＣＰＵ３１は他に障害装置があるか否かを判定する（ステップＳ３５）。他に障害装置がない場合（ステップＳ３５でＮＯ）、ＣＰＵ３１は障害装置のステップＳ３４実行時に使用するＲＡＭ３２等の記憶部に記憶されたシリアル番号、プロダクト名があるか否かを判定する（ステップＳ３６）。記憶されているシリアル番号、プロダクト名がある場合（ステップＳ３６でＹＥＳ）、ＣＰＵ３１はシリアル番号、プロダクト名をｘ装置１に送信する（ステップＳ３７）。記憶されているシリアル番号、プロダクト名がない場合（ステップＳ３６でＮＯ）、ＣＰＵ３１は処理を終了する。なお、シリアル番号、プロダクト名の送信は全てのｘ装置１に対して送信することとしている。
【００３８】
他に障害機器がある場合（ステップＳ３５でＹＥＳ）、ＣＰＵ３１は処理をステップＳ３２に戻す。ステップＳ３２以降の処理は、上述したとおりである。
【００３９】
携帯端末２が障害装置からの所定距離内にいない場合（ステップＳ３３でＮＯ）、ＣＰＵ３１は処理をステップＳ３５に移す。ステップＳ３５以降の処理は、上述したとおりである。
【００４０】
図１３は位置管理サーバ３からの通知により、ｘ装置１で行われる障害情報送信処理の手順を示すフローチャートである。図１２でステップＳ３７が実行された場合に起動される処理である。ｘ装置１のＣＰＵ１１は位置管理サーバ３より、シリアル番号、プロダクト名を取得する（ステップＳ４１）。ＣＰＵ１１は取得したシリアル番号、プロダクト名と、対応装置のシリアル番号、プロダクト名とを比較し、対応装置が含まれているか否かを判定する（ステップＳ４２）。対応装置が含まれていた場合（ステップＳ４２でＹＥＳ）、ＣＰＵ１１は障害情報（プロダクト名、シリアル番号、位置、状態、メッセージ）を装置情報テーブル１６ａから読み出す（ステップＳ４３）。ＣＰＵ１１は障害情報を携帯端末２に送信する（ステップＳ４４）。ＣＰＵ１１は処理を終了する。対応装置が含まれていない場合（ステップＳ４２でＮＯ）、ＣＰＵ１１は処理を終了する。
【００４１】
図１２のステップＳ３７においては、全てのｘ装置１に対してシリアル番号、プロダクト名を送信することとしているが、それに限られない。シリアル番号、プロダクト名で特定される対応装置に紐付けられたｘ装置１のみに送信することとしても良い。その場合においては、装置情報テーブル３５ｂにおいて、シリアル番号及びプロダクト名とｘ装置１のＩＤとを対応付けて記憶する必要がある。また、このような場合、図１３のステップＳ４２の処理は不要となる。
【００４２】
図１４は携帯端末２で行われる受信処理の手順を示すフローチャートである。携帯端末２のＣＰＵ２１は通信部２６を介して障害情報を受信したか否かを判定する（ステップＳ８１）。障害情報を受信した場合（ステップＳ８１でＹＥＳ）、ＣＰＵ２１は障害情報を大容量記憶装置２４に記憶し（ステップＳ８２）、ＣＰＵ２１は処理を終了する。障害情報以外を受信した場合（ステップＳ８１でＮＯ）、ＣＰＵ２１は内容に応じた処理を行い（ステップＳ８３）、処理を終了する。
【００４３】
図１４の処理は、インターバルタイマ等により定期的に実行しても良いし、通信部２６がデータを受信した場合に、ＣＰＵ２１に割込みをかけて、その都度、実行することとしても良い。
【００４４】
図１５は携帯端末２で行われる処理の手順を示すフローチャートである。携帯端末２のＣＰＵ２１は通信部２６を介して、複数のｙ装置４からの位置情報を受信する（ステップＳ６１）。ＣＰＵ２１は受信したｙ装置４からの各電波の強度を計測する（ステップＳ６２）。ＣＰＵ２１はステップＳ６１で受信した位置情報と、ステップＳ６２で計測した電波強度とにより、三角測量の原理で自装置の位置を算出する（ステップＳ６３）。ＣＰＵ２１は算出した位置情報を位置管理サーバ３に送信する（ステップＳ６４）。ＣＰＵ２１は大容量記憶装置２４に障害情報が記憶されているか否かを判定する（ステップＳ６５）。障害情報が記憶されている場合（ステップＳ６５でＹＥＳ）、ＣＰＵ２１は障害情報より障害装置の位置座標を読み出す（ステップＳ６６）。ＣＰＵ２１は姿勢検知部２８に自端末の姿勢を検知させる（ステップＳ６７）。
【００４５】
ＣＰＵ２１はステップＳ６３で算出した位置、障害装置の位置、及びステップＳ６７で検知した姿勢から、ＣＥが携帯端末２を障害装置にかざしているか否かをＣＰＵ２１は判定する（ステップＳ６８）。かざしていると判定した場合（ステップＳ６８でＹＥＳ）、ＣＰＵ２１は障害情報を表示部２７に表示する（ステップＳ６９）。表示部２７には撮像部２５により撮影された障害装置が表示されているので、ＣＰＵ２１は画像認識により表示位置を認識、障害装置に重なるように障害情報を表示部２７に表示する。障害装置の表示部２７内での表示位置は、自装置の位置、障害装置の位置、自装置の姿勢を用いてＣＰＵ２１が推測することとしても良い。
【００４６】
ＣＰＵ２１は他に表示すべき障害情報があるか否かを判定する（ステップＳ７０）。他に障害情報がある場合（ステップＳ７０でＹＥＳ）、ＣＰＵ２１は処理をステップＳ６６に戻す。他に障害情報がない場合（ステップＳ７０でＮＯ）、ＣＰＵ２１は処理を終了する。
【００４７】
障害情報が記憶されていない場合（ステップＳ６５でＮＯ）、またはＣＥが携帯端末２を障害装置にかざしていない場合（ステップＳ６８でＮＯ）、ＣＰＵ２１は表示部２７に障害情報を表示済みであるか否か判定する（ステップＳ７１）。表示済みである場合（ステップＳ７１でＹＥＳ）、ＣＰＵ２１は障害情報を非表示にする（ステップＳ７２）。ＣＰＵ２１は処理をステップＳ７０に移す。ステップＳ７０以降の処理は、上述したとおりである。表示部２７に障害情報が表示されていない場合（ステップＳ７１でＮＯ）、ＣＰＵ２１は処理をステップＳ７０に移す。
【００４８】
図１６はサーバコンピュータ５が行う障害検知処理の手順を示すフローチャートである。サーバコンピュータ５のＣＰＵ５１（図示しない）は障害を検知したか否か判定する（ステップＳ５１）。検知した場合（ステップＳ５１でＹＥＳ）、ＣＰＵ５１は対応するｘ装置１の装置情報テーブル１６ａに装置状態、障害メッセージを書き込む（ステップＳ５２）。ＣＰＵ５１は処理を終了する。障害を検知しなかった場合（ステップＳ５１でＮＯ）、ＣＰＵ５１は何もせず処理を終了する。図１６に示した処理はサーバコンピュータ５のファームウェアに定期的に実行される処理である。
【００４９】
図１７は携帯端末２の表示画面の一例を示す説明図である。図１７に示す画面はエアタグが表示されていない場合である。すなわち、サーバＡは正常に稼働しており、障害情報はないことを表している。図１８は携帯端末２の表示画面の一例を示す説明図である。図１８に示す画面はエアタグＴが表示されている場合である。エアタグＴには状態を示すマークｔ１と、障害メッセージｔ２を含む。マークｔ１は状態によって色やハッチングを変えることとする。例えば、警告であれば黄色のマーク、エラーであれば赤色のマークとする。障害メッセージｔ２には障害状況に関する表示がされる。図１８の例では、サーバＡはサーバブレードであり、シリアル番号はV12-3456、電源供給ユニット（Power Supply Unit）に警告（Warning）が出ている。より詳細な障害箇所はDisk Shelf (DE)のuu番（#uu）の源ユニットｎ番（#n）である。
【００５０】
図１９はエアタグＴの一例を示す説明図である。図１８に示したものとは異なる例である。図１９では装置がダウン又はエアタグ機能を有効のまま装置がシャットダウンされたことを示している。
【００５１】
以上のように、実施の形態１においては、以下の様な効果を奏する。
ＣＥが携帯端末２により、障害装置を撮影した場合にのみ、撮影された障害装置に関する障害情報を表示することとしたので、ＣＥは容易に障害装置を特定することが可能となる。また、障害が発生していない装置については、障害情報が表示されないので、携帯端末２でデータセンタ内の装置を撮影することで、各装置の障害の有無を容易に確認することが可能となる。さらに、複数の装置に障害が発生している場合であっても、携帯端末２には撮影された障害装置に関する障害情報のみが表示されるので、ＣＥは障害装置と障害情報との対応付けを行う必要がない。以上のことから、障害対処終了後に、新たな障害が発生していないことを容易に確認したうえで、ＣＥはデータセンタを退出することが可能となる。
【００５２】
さらにまた、本情報システムを用いることにより、ＣＥはお客様に提出する報告書を効率的に作成することが可能である。図２０はレポート作成画面の一例を示す説明図である。表形式で示している各装置の状況は、ｘ装置１の装置情報テーブル１６ａ又は位置管理サーバ３の装置情報テーブル３５ｂから生成することが可能である。
【００５３】
実施の形態２
実施の形態１においては、位置管理サーバ３が、携帯端末２の接近をｘ装置１に通知するようにしているが、ｘ装置１が位置管理サーバ３にポーリングすることとしても良い。以下に説明においては、実施の形態１と異なる点を主に説明し、実施の形態１と同様なものについては、説明を省略する。
【００５４】
図２１はｘ装置１が行うサーバコンピュータ５の監視処理手順を示すフローチャートである。実施の形態１の図１１に対応するものである。図２１において、図１１と同様な処理については、同じ符号を付し説明を省略する。図２１では図１１のステップＳ２４がステップＳ２８に、ステップＳ２７がステップＳ２９となっている。ステップＳ２８はポーリングを開始する処理である。ｘ装置１のＣＰＵ１１はタイマ割込みを設定し、所定時間毎に位置管理サーバ３にポーリングを行うように設定する（ステップＳ２８）。ステップＳ２９はタイマ割り込みをマスクし、ポーリングを中止する。
【００５５】
図２２は位置管理サーバ３が行う携帯端末の位置監視処理の手順を示すフローチャートである。実施の形態１の図１２に対応するものである。位置管理サーバ３のＣＰＵ３１は携帯端末２の位置を取得する（ステップＳ３１）。ＣＰＵ３１は取得した値で、許可機器テーブル３５ｃに記憶されている携帯端末２の位置を更新する（ステップＳ３８）。ＣＰＵ３１は処理を終了する。
【００５６】
図２３は位置管理サーバ３が行うポーリング応答処理の手順を示すフローチャートである。ｘ装置１からポーリングされた場合に位置管理サーバ３が行う処理である。位置管理サーバ３のＣＰＵ３１はｘ装置１から位置座標を取得する（ステップＳ９１）。この位置座標はｘ装置１の位置座標又はｘ装置１の対応装置（ここでは、サーバコンピュータ５）の位置座標である。位置管理サーバ３のＣＰＵ３１は受信した座標で表せる位置と、許可機器テーブル３５ｃに記憶されている許可機器（ここでは、携帯端末２）の最新位置との距離を計算する（ステップＳ９２）。ＣＰＵ３１は計算した距離が予め定めた所定の距離ないであるか否かを判定する（ステップＳ９３）。所定距離内であれば（ステップＳ９３でＹＥＳ）、ＣＰＵ３１は許可機器のシリアル番号をＲＡＭ３２等の記憶領域に一時的に記憶する（ステップＳ９４）。所定距離内ではない場合（ステップＳ９３でＮＯ）、ＣＰＵ３１は処理をステップＳ９５へ移す。ＣＰＵ３１は、他に許可機器があるか否か判定する（ステップＳ９５）。他に許可機器がある場合（ステップＳ９５でＹＥＳ）、ＣＰＵ３１は処理をステップＳ９２に戻す。他に許可機器がない場合（ステップＳ９５でＮＯ）、ＣＰＵ３１はステップＳ９４の実行によりＲＡＭ３２等に記憶した許可機器のシリアル番号があるか否か判定する（ステップＳ９６）。シリアル番号を記憶した許可機器がある場合（ステップＳ９６でＹＥＳ）、ＣＰＵ３１は許可機器のシリアル番号をｘ装置１に通知する（ステップＳ９７）。シリアル番号を記憶した許可機器がない場合（ステップＳ９６でＮＯ）、ＣＰＵ３１は許可機器がない旨を通知し（ステップＳ９８）、ＣＰＵ３１は処理を終了する。なお、ステップＳ９２で距離を計算すべきなのは、データセンタ内にいるＣＥの端末のみである。したがって、不許可の機器は当然として、データセンタ外にある端末は対象としない。そのために、許可機器テーブル３５ｃにフラグを設け、データセンタ内にあるか、データセンタ外にあるかを管理するようにしても良い。
【００５７】
図２４はｘ装置１で行われる障害情報送信処理の手順を示すフローチャートである。図２４に示した処理は、タイマ割り込みよって所定時間ごとに実行する処理である。ｘ装置１のＣＰＵ１１は対応装置の位置座標を位置管理サーバ３に送信する（ステップＳ４５）。ＣＰＵ１１は位置管理サーバ３から許可機器の返信があったか否かを判定する（ステップＳ４６）。許可機器の返信がなしの場合（ステップＳ４６でＮＯ）、ＣＰＵ１１は処理を終了する。許可機器の返信がある場合（ステップＳ４６でＹＥＳ）、ＣＰＵ１１は障害情報を装置情報テーブル１６ａから読み出す（ステップＳ４３）。ＣＰＵ１１は読み出した障害情報を携帯端末２に送信する（ステップＳ４４）。
なお、ステップＳ４５でｘ装置１から位置管理サーバに送信されるのは位置座標としたが、対応装置のプロダクト名、シリアル番号を送信しても良い。その場合において、位置管理サーバ３は図２３のステップＳ９１で、プロダクト名、シリアル番号を受信する。それを元に装置位置テーブル３５ａで対応装置の位置座標を取得したうえで、ステップＳ９２以降の処理を行う。
【００５８】
本実施の形態２においては、実施の形態１が奏する効果に加えて、次のような効果を奏する。ｘ装置１からポーリングすることにより、位置管理サーバ３がｘ装置１と対応装置との紐付けを把握していなくても、携帯端末２の接近通知をしかるべくｘ装置１のみに送信することが可能となる。
【００５９】
実施の形態３
実施の形態１又は実施の形態２において、データセンタ内の対応装置がすべて正常であるかを調べるためには、ＣＥはデータセンタ内をくまなく歩きまわり携帯端末２を対応装置にかざして撮影し、エアタグが表示されないことを確認する必要がある。この場合、他大規模なデータセンタでは効率が悪い。そこで、実施の形態１又は実施の形態２において、全体状況表示機能を付加する。
【００６０】
図２５は装置位置テーブル３５ａのレコードレイアウトの一例を示す説明図である。図６に示したレイアウトと違う点を主に説明する。装置位置テーブル３５ａはプロダクト名欄、シリアルＮｏ．欄、位置欄、ラック番号欄を含む。プロダクト名欄、シリアルＮｏ．欄、位置欄に記憶する値は上述したとおりである。ラック番号欄は各装置が収められているラックの番号を記憶する。本実施の形態では、ラックの番号が分かれば、該当するラックのデータセンタ内での位置が分かることを前提とする。
【００６１】
図２６は全体状況表示処理の手順を示すフローチャートである。携帯端末２のＣＰＵ２１位置管理サーバ３に全体の障害状況を要求する（ステップＳ１０１）。位置管理サーバ３のＣＰＵ３１は要求を受け取る（ステップＳ１０２）。ＣＰＵ３１は装置情報テーブル３５ｂを参照し、障害が発生している装置がないか否かを確認する（ステップＳ１０３）。障害がある場合（ステップＳ１０３でＹＥＳ）、ＣＰＵ３１は障害が発生しているシリアル番号とプロダクト名を取得する（ステップＳ１０４）。ＣＰＵ３１は取得したシリアル番号とプロダクト名を用いて、装置位置テーブル３５ａを検索し、対応するラック番号を取得する（ステップＳ１０５）。ＣＰＵ３１は取得したラック番号を用いて障害通知を作成する（ステップＳ１０６）。障害がない場合（ステップＳ１０３でＮＯ）、ＣＰＵ３１は正常通知を作成する（ステップＳ１０７）。ＣＰＵ３１は作成した通知を携帯端末２に送信する（ステップＳ１０８）。携帯端末２のＣＰＵ２１は通知を受信する（ステップＳ１０９）。ＣＰＵ２１は通知を表示部２７に表示する（ステップＳ１１０）。ＣＰＵ２１は処理を終了する。
【００６２】
図２７、図２８は全体状況を表示する携帯端末３の画面を示す説明図である。図２７は障害が発生していなことを示す画面である。図２８は障害が発生していることを示す画面である。ラックＡ１、Ｂ２に取り付けられている装置に障害が発生していることが分かる。ＣＥはこの通知を元に、ラックＡ１、Ｂ２に向かい、障害対処を行う。ラックＡ１、Ｂ２での障害内容の把握については、上述の実施の形態１又は実施の形態２と同様な操作を行えば良い。
なお、全体状況の表示要求は、プルダウンメニューなどの操作により行えるようにすれば良い。
【００６３】
本実施の形態では、実施の形態１又は実施の形態２が奏する効果に加えて、以下の効果を奏する。全体状況表示機能を設けたことにより、ＣＥは作業を終了後にデータセンタ内の他の箇所で障害が発生しているか否かを容易に確認することが可能となる。
【００６４】
図２９はｘ装置１の機能ブロック図である。ｘ装置１は記憶部１０ａ、受信部１０ｂ、読み出し部１０ｃ、送信部１０ｄを含む。記憶部１０ａは装置情報を記憶する。受信部１０ｂは携帯端末２の接近の通知を受信する。読み出し部１０ｃは記憶部１０ａに記憶した装置情報を読み出す。送信部１０ｄは読み出し装置情報を携帯端末２に送信する。
【００６５】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【００６６】
以上の実施の形態１から実施の形態４に関し、さらに以下の付記を開示する。
【００６７】
（付記１）
保守対象装置についての装置情報を記憶する装置情報記憶装置が前記装置情報を、前記装置情報記憶装置又は保守対象装置の位置を記憶する位置記憶サーバからの通知に基づいて、撮像部及び表示部を有する携帯通信機に送信し、携帯通信機が受信した装置情報を前記表示部に表示する装置情報表示方法において、
前記装置情報記憶装置が、
前記携帯通信機の自装置又は前記保守対象装置への接近の通知を前記位置記憶サーバから受け取り、
記憶部に記憶した装置情報を読み出し、
読み出した装置情報を前記携帯通信機に送信し、
前記携帯通信機が、
前記装置情報を受信し、
受信した装置情報に対応する装置の画像を前記撮像部により取得し、
取得した画像と受信した装置情報とを前記表示部に表示する、
装置情報表示方法。
【００６８】
（付記２）
前記携帯通信機は自位置を計算し、
計算した自位置を前記位置記憶サーバに送信する
付記１に記載の装置情報表示方法。
【００６９】
（付記３）
前記位置記憶サーバは、
予め取得した前記装置情報記憶装置又は保守対象装置の位置と前記携帯通信機から受信した位置とにより、前記装置情報記憶装置又は保守対象装置に前記携帯通信機が接近しているか否かを判定し、
接近していると判定した場合、前記装置情報記憶装置に前記携帯通信機の接近の通知を行う
付記２に記載の装置情報表示方法。
【００７０】
（付記４）
前記携帯通信機は自機の姿勢を検出する姿勢検出部を有し、
前記携帯通信機は自機の姿勢を検出し、
検出した姿勢により前記保守対象装置を撮影しているか否かを判定し、
前記保守対象装置を撮影していると判定した場合に、前記装置情報を表示する
付記１から付記３のいずれか１つに記載の装置情報表示方法。
【００７１】
（付記５）
前記装置情報は該装置情報に対応する装置により、前記装置情報記憶装置の記憶部に書き込まれる
付記１から付記４のいずれか１つに記載の装置情報表示方法。
【００７２】
（付記６）
前記携帯通信機及び装置情報記憶装置は、
位置が既知である複数の無線標識より位置情報を受信し、
受信した位置情報に係る無線信号の受信強度及び受信した位置情報に基づき、
自位置を計算する
付記１から付記５のいずれか１つに記載の装置情報表示方法。
【００７３】
（付記７）
保守対象装置についての装置情報を記憶する記憶部と、
外部からの通知に基づいて、携帯通信機に前記装置情報を送信する送信部とを備える装置情報記憶装置において、
前記携帯通信機の自装置又は前記保守対象装置への接近の通知を外部から受信する受信部と、
前記記憶部に記憶した装置情報を読み出す読み出し部とを備え、
前記送信部は、読み出した装置情報を前記携帯通信機に送信する
装置情報記憶装置。
【００７４】
（付記８）
保守対象装置についての装置情報を記憶部に記憶し、
外部からの通知に基づいて、携帯通信機に前記装置情報を送信するコンピュータ（１）に、
前記携帯通信機の自コンピュータ又は前記保守対象装置への接近の通知を外部から受け取り、
前記記憶部に記憶した装置情報を読み出し、
読み出した装置情報を前記携帯通信機に送信する
処理を実行させるコンピュータプログラム。
【００７５】
（付記９）
保守対象装置の画像を取得する撮像部、前記保守対象装置についての装置情報を受信する受信部、取得した画像と受信した装置情報とを表示する表示部及び姿勢を検出する姿勢検出部備えたコンピュータに、
前記姿勢検出部から自コンピュータの姿勢を取得し、
取得した姿勢により前記保守対象装置を撮影しているか否かを判定し、
前記保守対象装置を撮影していると判定した場合に、前記装置情報を表示部に表示する
処理を実行させるコンピュータプログラム。
【符号の説明】
【００７６】
１  ｘ装置
１１  ＣＰＵ
１２  ＲＡＭ
１３  ＲＯＭ
１４  有線通信部
１５  無線通信部
１６  大容量記憶装置
１７  読取部
１８  二次電池
２  携帯端末
２１  ＣＰＵ
２２  ＲＡＭ
２３  ＲＯＭ
２４  大容量記憶装置
２５  撮像部
２６  通信部
２７  表示部
２８  姿勢検出部
３  位置管理サーバ
３１  ＣＰＵ
３２  ＲＡＭ
３３  ＲＯＭ
３５  大容量記憶装置
３６  通信部
【図１】
2015014900.tif 000003
【図２】
2015014900.tif 000004
【図３】
2015014900.tif 000005
【図４】
2015014900.tif 000006
【図５】
2015014900.tif 000007
【図６】
2015014900.tif 000008
【図７】
2015014900.tif 000009
【図８】
2015014900.tif 000010
【図９】
2015014900.tif 000011
【図１０】
2015014900.tif 000012
【図１１】
2015014900.tif 000013
【図１２】
2015014900.tif 000014
【図１３】
2015014900.tif 000015
【図１４】
2015014900.tif 000016
【図１５】
2015014900.tif 000017
【図１６】
2015014900.tif 000018
【図１７】
2015014900.tif 000019
【図１８】
2015014900.tif 000020
【図１９】
2015014900.tif 000021
【図２０】
2015014900.tif 000022
【図２１】
2015014900.tif 000023
【図２２】
2015014900.tif 000024
【図２３】
2015014900.tif 000025
【図２４】
2015014900.tif 000026
【図２５】
2015014900.tif 000027
【図２６】
2015014900.tif 000028
【図２７】
2015014900.tif 000029
【図２８】
2015014900.tif 000030
【図２９】
2015014900.tif 000031